(57)【要約】【課題】ＥＰＣシステムを用いた通信システムにおいて、ＥＰＣシステム内のノードにおけるファイル更新を実現する。【解決手段】ｅＮｏｄｅＢ２０と接続され、ｅＮｏｄｅＢ２０と無線接続されている端末１０の移動を管理するＭＭＥ３１と、ＭＭＥ３１及び通信回線４０と接続され、端末１０からの信号を終端するＳ−ＧＷ３２−１，３２−２とを有してなるＥＰＣシステム３０において、ｅＮｏｄｅＢ２０が接続されているＳ−ＧＷ３２−１におけるファイル更新を行う場合に、Ｓ−ＧＷ３２−１に収容された端末１０の加入者情報をＳ−ＧＷ３２−２に収容し、Ｓ−ＧＷ３２−１から加入者情報を削除し、ｅＮｏｄｅＢ２０が接続されるゲートウェイを、Ｓ−ＧＷ３２−１からＳ−ＧＷ３２−２に変更し、その後、Ｓ−ＧＷ３２−１のファイルを更新する。【選択図】図１
2011151463.tif 000002
【特許請求の範囲】
【請求項１】
基地局装置と接続され、該基地局装置と無線接続されている端末の移動を管理する管理ノードと、前記管理ノード及び通信回線と接続され、前記端末からの信号を終端するゲートウェイとを有してなるＥＰＣシステムにおいて前記ゲートウェイにおけるファイル更新を行うファイル更新方法であって、
前記基地局装置が接続されている第１のゲートウェイに収容された当該端末の加入者情報を第２のゲートウェイに収容する収容処理と、
前記第１のゲートウェイから前記加入者情報を削除する削除処理と、
前記基地局装置が接続されるゲートウェイを、前記第１のゲートウェイから前記第２のゲートウェイに変更する変更処理と、
前記第１のゲートウェイのファイルを更新する更新処理とを有するファイル更新方法。
【請求項２】
請求項１に記載のファイル更新方法において、
前記収容処理に先立って、前記第１のゲートウェイに対する新規信号の受付を閉塞する閉塞処理と、
前記更新処理の後、前記第１のゲートウェイに対する新規信号の受付の閉塞を解除する閉塞解除処理とを有するファイル更新方法。
【請求項３】
請求項１または請求項２に記載のファイル更新方法において、
前記収容処理から前記変更処理までは、前記管理ノードによるハンドオーバー相当処理であるファイル更新方法。
【発明の詳細な説明】
【技術分野】
【０００１】
本発明は、ファイル更新方法に関し、特に、ＥＰＣ（Evolved Packet Core）システムにおけるファイル更新方法に関する。
【背景技術】
【０００２】
加入者系移動交換機のファイル更新方式は、例えば特許文献１にて提案されており、また、既存交換機のファイル更新方式は、例えば特許文献２，３にて提案されている。
【０００３】
近年、次世代通信システムとして、ＥＰＣシステムを用いた技術が考えられており、例えば、特許文献４にて提案されている。
【先行技術文献】
【特許文献】
【０００４】
【特許文献１】特開２００４−２８２５５０号公報
【特許文献２】特開２００２−１０１４３３号公報
【特許文献３】特開２００１−３１３９６５号公報
【特許文献４】特表２００９−５１７８９３号公報
【発明の概要】
【発明が解決しようとする課題】
【０００５】
上述したようなＥＰＣシステムにおいては、ＥＰＣシステム内のノードとなるServing Gateway（以下、Ｓ−ＧＷと称する）にて端末を収容してサービスを行うこととなるが、ＥＰＣシステムにおけるファイル更新方法についてはまだ提案されていないため、Ｓ−ＧＷのファイル更新を行うことができず、サービスの有効な提供を実現することができないという問題点がある。
【０００６】
本発明は、上述したような技術が有する問題点に鑑みてなされたものであって、ＥＰＣシステムを用いた通信システムにおいて、ＥＰＣシステム内のノードにおけるファイル更新を実現することができるファイル更新方法を提供することを目的とする。
【課題を解決するための手段】
【０００７】
上記目的を達成するために本発明は、
基地局装置と接続され、該基地局装置と無線接続されている端末の移動を管理する管理ノードと、前記管理ノード及び通信回線と接続され、前記端末からの信号を終端するゲートウェイとを有してなるＥＰＣシステムにおいて前記ゲートウェイにおけるファイル更新を行うファイル更新方法であって、
前記基地局装置が接続されている第１のゲートウェイに収容された当該端末の加入者情報を第２のゲートウェイに収容する収容処理と、
前記第１のゲートウェイから前記加入者情報を削除する削除処理と、
前記基地局装置が接続されるゲートウェイを、前記第１のゲートウェイから前記第２のゲートウェイに変更する変更処理と、
前記第１のゲートウェイのファイルを更新する更新処理とを有する。
【発明の効果】
【０００８】
本発明は、以上説明したように構成されているので、ＥＰＣシステム内のノードにおけるファイル更新を実現することができる。
【図面の簡単な説明】
【０００９】
【図１】本発明のファイル更新方法が行われる通信システムの実施の一形態を示す図である。
【図２】図１に示した通信システムにおけるＳ−ＧＷのファイル更新方法を説明するためのフローチャートである。
【発明を実施するための形態】
【００１０】
以下に、本発明の実施の形態について図面を参照して説明する。
【００１１】
図１は、本発明のファイル更新方法が行われる通信システムの実施の一形態を示す図である。
【００１２】
本形態は図１に示すように、携帯電話等の移動可能な端末１０と、端末１０と無線接続される基地局装置であるｅＮｏｄｅＢ２０と、ｅＮｏｄｅＢ２０と通信回線４０に接続されたＥＰＣシステム３０とから構成されており、ＥＰＣシステム３０には、管理ノードであるＭＭＥ３１と、ゲートウェイであるＳ−ＧＷ３２−１，３２−２とが設けられている。
【００１３】
ＭＭＥ３１は、ｅＮｏｄｅＢ２０と接続され、ｅＮｏｄｅＢ２０と無線接続されている端末１０の移動を管理するものである。
【００１４】
Ｓ−ＧＷ３２−１，３２−２は、ＭＭＥ３１及び通信回線４０と接続され、端末１０からの信号を終端するものであって、ＭＭＥ３１との間にて各種情報を送受信可能である。そして、ＭＭＥ３１の制御によって端末１０と接続される。なお、本形態においては、Ｓ−ＧＷ３２−１が第１のゲートウェイとなり、Ｓ−ＧＷ３２−２が第２のゲートウェイとなる。
【００１５】
以下に、上記のように構成された通信システムにおけるＳ−ＧＷ３２−１，３２−２のファイル更新方法について説明する。
【００１６】
図２は、図１に示した通信システムにおけるＳ−ＧＷ３２−１，３２−２のファイル更新方法を説明するためのフローチャートである。
【００１７】
初期状態として、端末１０は、ｅＮｏｄｅＢ２０、ＭＭＥ３１及びＳ−ＧＷ３２−１に収容されてサービスを行っている。そのため、端末１０の加入者情報は、Ｓ−ＧＷ３２−１に収容され、Ｓ−ＧＷ３２−２には収容されていない。
【００１８】
この状態からＳ−ＧＷ３２−１のファイル更新を行う場合（ステップＳ１）、まず、Ｓ−ＧＷ３２−１内の局データ新旧変換を実施し（ステップＳ２）、Ｓ−ＧＷ３２−１に新規信号が入らないようにＳ−ＧＷ３２−１に対する新規信号の受付を閉塞する（ステップＳ３）。
【００１９】
そして、ＭＭＥ３１において、Ｓ−ＧＷ３２−１に収容された端末１０の移行を開始する（ステップＳ４）。
【００２０】
まず、Ｓ−ＧＷ３２−１に収容された端末１０の加入者情報をＳ−ＧＷ３２−２に収容する（ステップＳ５）。
【００２１】
次に、Ｓ−ＧＷ３２−１から端末１０の加入者情報を削除する（ステップＳ６）。
【００２２】
そして、ｅＮｏｄｅＢ２０が接続されるゲートウェイを、Ｓ−ＧＷ３２−１からＳ−ＧＷ３２−２に変更する（ステップＳ７）。
【００２３】
このようにステップＳ５〜Ｓ７までの処理は、ＭＭＥ３１主導でS-GW-change-Handover相当の処理を行う。
【００２４】
このようにして端末１０の収容先をＳ−ＧＷ３２−１からＳ−ＧＷ３２−２に移行する（ステップＳ８）。
【００２５】
その後、Ｓ−ＧＷ３２−１のファイル更新を行う（ステップＳ９）。この際、Ｓ−ＧＷ３２−１に収容される加入者はいないため、再起動等を実施してもエンドユーザのサービスに影響を与えることがない。
【００２６】
Ｓ−ＧＷ３２−１のファイル更新が完了した後、Ｓ−ＧＷ３２−１に対する新規信号の受付の閉塞を解除する（ステップＳ１０）。
【００２７】
このように、本形態においては、ＥＰＣシステム内のノードであるＭＭＥ３１と連携し、ファイル更新対象のＳ−ＧＷ３２−１が収容する加入者を、ＭＭＥ３１主導で別のＳ−ＧＷ３２−２に収容することでサービス継続可能なファイル更新を実現する。
【００２８】
なお、Ｓ−ＧＷ３２−２がファイル更新を行う場合は、上記同様にしてＳ−ＳＷ３２−１に加入者移行を実施することとなる。
【符号の説明】
【００２９】
１０    端末
２０    ｅＮｏｄｅＢ
３０    ＥＰＣシステム
３１    ＭＭＥ
３２−１，３２−２    Ｓ−ＧＷ
４０    通信回線
【図１】
2011151463.tif 000003
【図２】
2011151463.tif 000004